(57)【要約】本発明の一実施形態によると、システムは、自動体外式除細動器のための着脱可能なインタフェース・モジュールと無線ドックとを備える。着脱可能なインタフェース・モジュールは、第１プロセッサと、第１プロセッサに通信可能に結合され、自動体外式除細動器からステータス情報を受信するように構成されている、第１メモリ及び第１低電力ラジオ・トランシーバと、を備える。着脱可能なインタフェース・モジュールは、無線電力受信機と、無線電力受信機に電気的に結合され、着脱可能なインタフェース・モジュールのために無線により電力を受信するように構成されている、充電可能なエネルギ貯蔵装置と、をさらに備える。無線ドックは、第２プロセッサと、第２プロセッサに通信可能に結合され、自動体外式除細動器の電源が切れているときにステータス情報を着脱可能なインタフェース・モジュールから受信し、ネットワーク・インタフェースを通じてステータス情報を送信するように構成されている、第２メモリ及び第２低電力ラジオ・トランシーバと、を備える。無線ドックは、無線電力送信機をさらに備える。
2016518894.tif 000002
【特許請求の範囲】
【請求項１】
自動体外式除細動器のための着脱可能なインタフェース・モジュールであって、
第１プロセッサと、
前記第１プロセッサに通信可能に結合され、前記自動体外式除細動器からステータス情報を受信するように構成されている、第１メモリ及び第１低電力ラジオ・トランシーバと、
無線電力受信機と、
前記無線電力受信機に電気的に結合され、前記着脱可能なインタフェース・モジュールのために無線により電力を受信するように構成されている、充電可能なエネルギ貯蔵装置と、を備える前記着脱可能なインタフェース・モジュールと、
自動体外式除細動器のための無線ドックであって、
第２プロセッサと、
前記第２プロセッサに通信可能に結合され、前記自動体外式除細動器の電源が切れているときに前記着脱可能なインタフェース・モジュールから前記ステータス情報を受信し、ネットワーク・インタフェースを通じて前記ステータス情報を送信するように構成されている、第２メモリ及び第２低電力ラジオ・トランシーバと、
電力源に結合され、前記着脱可能なインタフェース・モジュールが所定範囲内にあるとき前記着脱可能なインタフェース・モジュールに無線により電力を送信するように構成されている、無線電力送信機と、を備える前記無線ドックと、
を備えるシステム。
【請求項２】
前記第１プロセッサ及び第１メモリは、前記着脱可能なインタフェース・モジュールが前記自動体外式除細動器からの電力を利用することなく、前記自動体外式除細動器からステータス情報を受信するように構成されている、請求項１に記載のシステム。
【請求項３】
前記無線電力受信機は、前記自動体外式除細動器の電源が切れているとき、前記無線電力送信機から無線により電力を受信し、前記充電可能なエネルギ貯蔵装置に前記電力を貯蔵するように構成されている、請求項１に記載のシステム。
【請求項４】
前記無線ドックは、交流電力源と、イーサネット・ケーブルと、バッテリと、のうちの少なくとも１つによって電力を供給される、請求項１に記載のシステム。
【請求項５】
前記ネットワーク・インタフェースは、有線ネットワーク・インタフェース及び無線ネットワーク・インタフェースのうちの一方である、請求項１に記載のシステム。
【請求項６】
前記ステータス情報は、前記自動体外式除細動器のセルフテストの診断結果を含む、請求項１に記載のシステム。
【請求項７】
前記ステータス情報は、少なくとも１つの電極使用期限日を含む、請求項１に記載のシステム。
【請求項８】
前記ステータス情報は、前記自動体外式除細動器によるセルフテストのショック中に送達されるエネルギ量を含む、請求項１に記載のシステム。
【請求項９】
前記ステータス情報は、少なくとも１つのコードイベントに関係する情報を含む、請求項１に記載のシステム。
【請求項１０】
前記第２プロセッサ及び第２メモリは、データセンタ及びネットワーク管理局のうちの一方に前記ステータス情報を送信するように構成されている、請求項１に記載のシステム
。
【請求項１１】
前記第２プロセッサ及び第２メモリは、前記着脱可能なインタフェース・モジュールの電源を入れるように構成されている、請求項１に記載のシステム。
【請求項１２】
前記第１プロセッサ及び第１メモリは、前記自動体外式除細動器のためのソフトウェアを前記無線ドックから受信するように構成されている、請求項１に記載のシステム。
【請求項１３】
無線ドックから無線により電力を受信し、自動体外式除細動器に通信可能に結合されている着脱可能なインタフェース・モジュールの充電可能なエネルギ貯蔵装置に前記電力を貯蔵する電力貯蔵工程と、
自動体外式除細動器から前記着脱可能なインタフェース・モジュールの第１メモリにステータス情報を受信する工程と、
前記自動体外式除細動器の電源が切れているときに前記着脱可能なインタフェース・モジュールの第１低電力ラジオ・トランシーバから無線ドックの第２低電力ラジオ・トランシーバに前記ステータス情報を送信する工程と、
前記無線ドックのネットワーク・インタフェースを通じて前記ステータス情報を送信する工程と、
を備える方法。
【請求項１４】
自動体外式除細動器からステータス情報を受信する前記工程は、前記自動体外式除細動器からの電力を利用することなく行われる、請求項１３に記載の方法。
【請求項１５】
前記電力貯蔵工程は、前記自動体外式除細動器の電源が切れており、前記自動体外式除細動器が前記無線ドックの所定範囲内にあるときに行われる、請求項１３に記載の方法。
【請求項１６】
前記無線ドックは、交流電力源と、イーサネット・ケーブルと、バッテリと、のうちの少なくとも１つによって電力を供給される、請求項１３に記載の方法。
【請求項１７】
前記ネットワーク・インタフェースは、有線ネットワーク・インタフェース及び無線ネットワーク・インタフェースのうちの一方である、請求項１３に記載の方法。
【請求項１８】
前記ステータス情報は、自動体外式除細動器のセルフテストの診断結果を含む、請求項１３に記載の方法。
【請求項１９】
前記ステータス情報は、少なくとも１つの電極使用期限日を含む、請求項１３に記載の方法。
【請求項２０】
前記ステータス情報は、セルフテストのショック中に送達されるエネルギ量を含む、請求項１３に記載の方法。
【請求項２１】
前記ステータス情報は、少なくとも１つのコードイベントに関係する情報を含む、請求項１３に記載の方法。
【請求項２２】
データセンタ及びネットワーク管理局のうちの一方に前記ネットワーク・インタフェースを通じて前記ステータス情報を送信する工程をさらに備える、請求項１３に記載の方法。
【請求項２３】
前記無線ドックから信号を送信することによって、前記着脱可能なインタフェース・モジュールの電源を入れる工程をさらに備える、請求項１３に記載の方法。
【請求項２４】
前記着脱可能なインタフェース・モジュールは、前記自動体外式除細動器のためのソフトウェアを前記無線ドックから受信するように構成されている、請求項１３に記載の方法。
【発明の詳細な説明】
【技術分野】
【０００１】
本発明は、一般に、自動体外式除細動器（ＡＥＤ）を無線によりドッキングするためのシステム及び方法に関する。
【背景技術】
【０００２】
事故によりもたらされる突然の心停止及び損傷等の突然の健康問題によって、毎年、何千もの人々が亡くなり、永久的な損傷がもたらされている。その問題に関するそのような犠牲者を蘇生するための迅速かつ十分な看護が、そのような状況において良い結果に不可欠な場合がある。例えば、突然の心停止の生存の可能性は、有効な処置の提供の遅れの１分毎に１０パーセント低下すると言われている。
【０００３】
心停止に苦しむ患者のための蘇生処置は、一般に、患者の気道の浄化及び開放と、患者に対する救命呼吸の提供と、犠牲者の心臓、脳、及び他の重要な臓器に血流を提供するために胸部に圧迫を加えることとを含む。患者がショック可能な心臓リズム（心室細動又は無脈性心室頻拍）を有している場合、蘇生は、例えば、ＡＥＤを使用する除細動治療も含み得る。そのような行為とともに、患者に関する心電図（ＥＣＧ）の信号が、電気的に捕捉され、表示され、及び監視されることが可能であり、これによって、救助者は、いつ患者の心臓が正常又はほぼ正常な動きに戻ったかを判断でき、いつ心臓がショック可能なリズムを示すかを判断できる。心室細動（ＶＦ）に苦しむ患者の約半数は、ＶＦコンバージョンの成功から数分以内にＶＦが再発し、これは、次いで、再度のコンバージョンを必要とし得る。患者の生存確率は、蘇生中に繰り返されるＶＦの再発とともに低下する。
【発明の概要】
【発明が解決しようとする課題】
【０００４】
心停止の患者の生存率は、多くの場合、良好な作動状態のＡＥＤを利用できることに依存し得る。高性能な電気機器と同様、ＡＥＤは、緊急時において準備されており利用可能であることを保証するべく、定期的な保守が必要である。迅速なＡＥＤの保守は、いつＡＥＤが保守を必要とするかを判断するのにかかる時間と、必要とされる保守の種類と、ＡＥＤに関する保守を提供するための人員計画とに依存する場合がある。
【課題を解決するための手段】
【０００５】
自動体外式除細動器のための着脱可能なインタフェース・モジュールであって、第１プロセッサと、前記第１プロセッサに通信可能に結合され、前記自動体外式除細動器からステータス情報を受信するように構成されている、第１メモリ及び第１低電力ラジオ・トランシーバと、無線電力受信機と、前記無線電力受信機に電気的に結合され、前記着脱可能なインタフェース・モジュールのために無線により電力を受信するように構成されている、充電可能なエネルギ貯蔵装置と、を備える前記着脱可能なインタフェース・モジュールと、自動体外式除細動器のための無線ドックであって、第２プロセッサと、前記第２プロセッサに通信可能に結合され、前記自動体外式除細動器の電源が切れているときに前記着脱可能なインタフェース・モジュールから前記ステータス情報を受信し、ネットワーク・インタフェースを通じて前記ステータス情報を送信するように構成されている、第２メモリ及び第２低電力ラジオ・トランシーバと、電力源に結合され、前記着脱可能なインタフェース・モジュールが所定範囲内にあるとき前記着脱可能なインタフェース・モジュールに無線により電力を送信するように構成されている、無線電力送信機と、を備える前記無線ドックと、を備えるシステム。
【０００６】
前記第１プロセッサ及び第１メモリは、前記着脱可能なインタフェース・モジュールが
前記自動体外式除細動器からの電力を利用することなく、前記自動体外式除細動器からステータス情報を受信するように構成されている、段落［０００５］に記載のシステム。
【０００７】
前記無線電力受信機は、前記自動体外式除細動器の電源が切れているとき、前記無線電力送信機から無線により電力を受信し、前記充電可能なエネルギ貯蔵装置に前記電力を貯蔵するように構成されている、段落［０００５］乃至［０００６］に記載のシステム。
【０００８】
前記無線ドックは、交流電力源と、イーサネット・ケーブルと、バッテリと、のうちの少なくとも１つによって電力を供給される、段落［０００５］乃至［０００７］に記載のシステム。
【０００９】
前記ネットワーク・インタフェースは、有線ネットワーク・インタフェース及び無線ネットワーク・インタフェースのうちの一方である、段落［０００５］乃至［０００８］に記載のシステム。
【００１０】
前記ステータス情報は、前記自動体外式除細動器のセルフテストの診断結果を含む、段落［０００５］乃至［０００９］に記載のシステム。
【００１１】
前記ステータス情報は、少なくとも１つの電極使用期限日を含む、段落［０００５］乃至［００１０］に記載のシステム。
【００１２】
前記ステータス情報は、前記自動体外式除細動器によるセルフテストのショック中に送達されるエネルギ量を含む、段落［０００５］乃至［００１１］に記載のシステム。
【００１３】
前記ステータス情報は、少なくとも１つのコードイベントに関係する情報を含む、［０００５］乃至［００１２］に記載のシステム。
【００１４】
前記第２プロセッサ及び第２メモリは、データセンタ及びネットワーク管理局のうちの一方に前記ステータス情報を送信するように構成されている、段落［０００５］乃至［００１３］に記載のシステム。
【００１５】
前記第２プロセッサ及び第２メモリは、前記着脱可能なインタフェース・モジュールの電源を入れるように構成されている、段落［０００５］乃至［００１４］に記載のシステム。
【００１６】
前記第１プロセッサ及び第１メモリは、前記自動体外式除細動器のためのソフトウェアを前記無線ドックから受信するように構成されている、段落［０００５］乃至［００１５］に記載のシステム。
【００１７】
無線ドックから無線により電力を受信し、自動体外式除細動器に通信可能に結合されている着脱可能なインタフェース・モジュールの充電可能なエネルギ貯蔵装置に前記電力を貯蔵する電力貯蔵工程と、自動体外式除細動器から前記着脱可能なインタフェース・モジュールの第１メモリにステータス情報を受信する工程と、前記自動体外式除細動器の電源が切れているときに前記着脱可能なインタフェース・モジュールの第１低電力ラジオ・トランシーバから無線ドックの第２低電力ラジオ・トランシーバに前記ステータス情報を送信する工程と、前記無線ドックのネットワーク・インタフェースを通じて前記ステータス情報を送信する工程と、を備える方法。
【００１８】
自動体外式除細動器からステータス情報を受信する前記工程は、前記自動体外式除細動器からの電力を利用することなく行われる、段落［００１７］に記載の方法。
【００１９】
前記電力貯蔵工程は、前記自動体外式除細動器の電源が切れており、前記自動体外式除細動器が前記無線ドックの所定範囲内にあるときに行われる、段落［００１７］乃至［００１８］に記載の方法。
【００２０】
前記無線ドックは、交流電力源と、イーサネット・ケーブルと、バッテリと、のうちの少なくとも１つによって電力を供給される、段落［００１７］乃至［００１９］に記載の方法。
【００２１】
前記ネットワーク・インタフェースは、有線ネットワーク・インタフェース及び無線ネットワーク・インタフェースのうちの一方である、段落［００１７］乃至［００２０］に記載の方法。
【００２２】
前記ステータス情報は、自動体外式除細動器のセルフテストの診断結果を含む、段落［００１７］乃至［００２１］に記載の方法。
【００２３】
前記ステータス情報は、少なくとも１つの電極使用期限日を含む、段落［００１７］乃至［００２２］に記載の方法。
【００２４】
前記ステータス情報は、セルフテストのショック中に送達されるエネルギ量を含む、段落［００１７］乃至［００２３］に記載の方法。
【００２５】
前記ステータス情報は、少なくとも１つのコードイベントに関係する情報を含む、段落［００１７］乃至［００２４］に記載の方法。
【００２６】
データセンタ及びネットワーク管理局のうちの一方に前記ネットワーク・インタフェースを通じて前記ステータス情報を送信する工程をさらに備える、段落［００１７］乃至［００２５］に記載の方法。
【００２７】
前記無線ドックから信号を送信することによって、前記着脱可能なインタフェース・モジュールの電源を入れる工程をさらに備える、段落［００１７］乃至［００２６］に記載の方法。
【００２８】
前記着脱可能なインタフェース・モジュールは、前記自動体外式除細動器のためのソフトウェアを前記無線ドックから受信するように構成されている、段落［００１７］乃至［００２７］に記載の方法。
【図面の簡単な説明】
【００２９】
【図１ａ】本発明の一実施形態による、インタフェース・モジュールと、ＡＥＤと、を示す図。
【図１ｂ】本発明の一実施形態による、ＡＥＤに電気的及び物理的に結合されているインタフェース・モジュールを示す図。
【図２ａ】本発明の一実施形態による、ＡＥＤに電気的及び物理的に結合されている着脱可能なインタフェース・モジュールと、壁上に取り付けられている無線ドックと、を備えるシステムを示す図。
【図２ｂ】本発明の一実施形態による、壁掛けキャビネットに取り付けられている図２ａのシステムを示す図。
【図３】本発明の一実施形態による、ＡＥＤに結合されているインタフェース・モジュールと、無線ドックと、を備えるシステムを示す図。
【図４】本発明の例示的な実施形態による方法を示すフロー図。
【発明を実施するための形態】
【００３０】
添付の図面では、縮尺に従うように記載することを意図していない。図面において、様々な図面に示されている同一又はほぼ同一の構成要素のそれぞれを類似の符号によって示している。明確さの目的のため、各図面において、全ての構成要素に符号を付けてはいない場合がある。
【００３１】
図１ａは、本発明の一実施形態による、インタフェース・モジュール１０５と、ＡＥＤ１１０と、を示す図である。ＡＥＤ１１０は、インタフェース・モジュール１０５等のインタフェース・モジュールにステータス情報を通信する性能を有する任意の製造業者の任意の種類の自動体外式除細動器であってよい。例えば、ＡＥＤ１１０は、マサチューセッツ州チェルムズフォードのゾール・メディカル・コーポレイション（ＺＯＬＬ  Ｍｅｄｉｃａｌ  Ｃｏｒｐｏｒａｔｉｏｎ）によって製造されるＡＥＤプラス（ＡＥＤ  Ｐｌｕｓ（登録商標））又はＡＥＤプロ（ＡＥＤ  Ｐｒｏ（登録商標））であってもよい。ステータス情報は、構成情報、診断情報、トラブルシューティング／修理の情報、使用情報、患者情報、場所情報、コード（心停止）イベント情報等（ただし、これらに限定されない）、ＡＥＤ及び／又は付属品に関係する任意の種類の情報又はデータの場合がある。例えば、ステータス情報は、ＡＥＤのセルフテストの診断結果、少なくとも１つの電極使用期限日、ＡＥＤによって送達されるセルフテストのショック中に送達されるエネルギ量、又は少なくとも１つのコードイベントに関係する情報を含み得る。
【００３２】
一部の実施形態では、インタフェース・モジュールは、ＡＥＤ内に完全に埋め込まれ、着脱不可能な場合がある。例えば、インタフェース・モジュールは、ＡＥＤのマザーボードに直接的に永久的に取り付けられ、ＡＥＤのシャーシ内に含まれていてもよい。
【００３３】
一部の実施形態では、インタフェース・モジュールは、ＡＥＤ内に埋め込まれ、着脱可能な場合がある。一部の実施形態では、インタフェース・モジュール１０５等のインタフェース・モジュールは、少なくとも部分的にＡＥＤの外部に配置され、着脱可能な場合がある。例えば、インタフェース・モジュールは、インタフェース・モジュール１０５等の着脱可能なインタフェース・モジュールであり、ＡＥＤ１１０に電気的及び物理的に結合したり、結合を解除したりできる場合がある。
【００３４】
インタフェース・モジュール１０５は、特にＡＥＤが運ばれている間、ＡＥＤとのデータの通信を可能にしたり、ＡＥＤに物理的に結合され電気的に接続されている状態を維持したりするためのコネクタ１１５等のコネクタを含む、シリアル・データ・インタフェース、パラレル・データ・インタフェース、ＵＳＢ（Ｕｎｉｖｅｒｓａｌ  Ｓｅｒｉａｌ  Ｂｕｓ）インタフェース、及び／又は類似のデータ・インタフェースを含み得る。さらに、ＡＥＤ１１０等のＡＥＤは、コネクタ１１５を受容してインタフェース・モジュールをＡＥＤ１１０に確実に、電気的に、及び物理的に結合させるように構成されているスロット１２０等のスロットを含む場合がある。インタフェース・モジュールをＡＥＤに確実に結合させるために、少なくとも１つのねじ、ボルト、又は他の留具（例えば、図３のねじ２１６等）を使用する等、他の手段が利用されてもよい。
【００３５】
インタフェース・モジュールのコネクタ１１５がＵＳＢコネクタである場合、一定の条件下では、ＵＳＢコネクタ自体によって、外部のインタフェース・モジュール１０５がＡＥＤに電気的及び物理的に接続されている状態が維持されることを保証するのに十分に確実かつ安定な手段が提供される。他の状況では、ＵＳＢコネクタは、ねじ２１６等、より安定かつ確実な手段を用いてＡＥＤにさらに固定されることが必要な場合がある。
【００３６】
図１ｂは、本発明の一実施形態による、ＡＥＤ１１０に電気的及び物理的に結合されて
いるインタフェース・モジュール１０５を示す図である。その実施形態では、着脱可能なインタフェース・モジュール１０５は、インタフェース・モジュール１０５の少なくとも一部分１２５がＡＥＤ１１０の縁１３０から突出している状態でＡＥＤ１１０に挿入されている。一部の実施形態では、着脱可能なインタフェース・モジュールは、外部の突出している部分がないように、ＡＥＤ１１０に完全に挿入されていてもよい。
【００３７】
図２ａは、本発明の一実施形態による、ＡＥＤ１１０に電気的及び物理的に結合されている着脱可能なインタフェース・モジュール１０５と、壁２０３上に取り付けられている無線ドック２２０と、を備えるシステム２００を示す図である。図２ｂは、本発明の一実施形態による、壁掛けキャビネットに取り付けられている図２ａのシステム２００を示す図である。
【００３８】
一部の実施形態では、ＡＥＤ１１０は、電源が切れており（又は、スリープモードであり）、使用されるのに準備ができており、直接的に壁２０３上に取り付けられていたり、ＡＥＤキャビネット２１２内に取り付けられていたりする場合があり、例えば、取り付けフック２０５等の取り付け手段又は吊るす手段を使用して取り付けられてよい。無線ドック２２０は、ＡＥＤ１１０に近接して、又はＡＥＤ１１０の背後において、壁２０３上に取り付けられる場合がある。一部の実施形態では、無線ドックは、ＡＥＤキャビネット２１２等のＡＥＤキャビネットの少なくとも一部に結合している場合もあれば、その一部に一体化している場合もある。一部の実施形態では、ＡＥＤ１１０及びインタフェース・モジュール１０５とともに無線ドック２２０は、携帯可能である。例えば、無線ドック２２０と、インタフェース・モジュール１０５を含むＡＥＤ１１０とは、ケース、バッグ、又は他の容器にともに保管されてもよく、これは、使用者によって持ち運ばれる場合もあれば、車両に配置される場合もある。
【００３９】
いずれの場合においても、無線ドック２２０は、ＡＥＤ１１０の近くに配置されることが可能であり、これによって、無線ドック２２０は、インタフェース・モジュール１０５に無線により情報を通信でき、また、インタフェース・モジュール１０５に無線により電力を供給できる。無線ドックが、例えば、電源コード及び／又はイーサネット（登録商標）ケーブル等の配線を含み得る場合においても、“無線”ドックとは、無線により、ＡＥＤのインタフェース・モジュールにデータを通信するドックの性能及び／又は電力を送達するドックの性能を指す。
【００４０】
図３は、本発明の一実施形態による、ＡＥＤ１１０に結合されているインタフェース・モジュール１０５と、無線ドック２２０と、を備えるシステム２００を示す図である。インタフェース・モジュール１０５等のインタフェース・モジュール１０５は、プロセッサ２４８（インテルのマイクロプロセッサ又はマイクロコントローラを含むが、これらに限定されない任意の種類のプロセッサであってよい）と、揮発性メモリ２５６又は不揮発性メモリ２５４等のメモリ（例えば、フラッシュメモリ又はＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）等）とを備えることが可能である。
【００４１】
インタフェース・モジュール１０５は、プロセッサ２４８等の少なくとも１つのプロセッサと、少なくとも１つの他の処理構成要素と、を備える場合がある。プロセッサ２４８は、ＡＥＤ１１０からステータス情報を受信することと、無線ドック２２０から無線により受信される電力を受信及び貯蔵することと、ＡＥＤ１１０の現在の場所を決定することと、ＡＥＤのステータス情報を無線ドック２２０に無線により送信することと、他のインタフェース・モジュールの機能等、インタフェース・モジュールの特徴を実装するための回路を備え得る。例えば、少なくとも１つのプロセッサ２４８は、デジタル信号プロセッサ装置、マイクロプロセッサ装置、デジタルからアナログへの変換器、他のサポート回路
等を備え得る。さらに、プロセッサ２４８は、インタフェース・モジュール１０５の機能を実装するための１つ以上のソフトウェアプログラムを動作させるための構造を備えていてもよい。
【００４２】
揮発性メモリ２５６及び／又は不揮発性メモリ２５４は、コンピュータ・プログラム・コードを含むことができ、そのコンピュータ・プログラム・コードは、通信インタフェース２３８を介してＡＥＤ１１０からステータス情報を受信したり、インタフェース２３５を介して無線ドック２２０からＡＥＤのソフトウェアを受信したりするための１つ以上のサブルーチンを実行するようにプロセッサ２４８とともに構成され得る。例えば、着脱可能なインタフェース・モジュールのプロセッサとメモリとは、無線インタフェース２３２−２６２を介してＡＥＤのためのソフトウェアを無線ドックから受信するように構成されてもよい。
【００４３】
揮発性メモリ２５６は、データの一時記憶のためのキャッシュ領域を含んでいてもよい。インタフェース・モジュール１０５は、インタフェース・モジュール１０５の１つ以上の特徴を実装するためのコンピュータ・プログラム・コードを含む情報を記憶するためにメモリを使用してよく、その１つ以上の特徴は、ＡＥＤ１１０からステータス情報を受信することと、無線ドック２２０から無線により受信される電力を受信及び貯蔵することと、ＡＥＤ１１０の現在の場所を決定することと、ＡＥＤのステータス情報を無線ドック２２０に無線により送信することと、ＡＥＤのソフトウェアを無線ドック２２０から受信することと、他のインタフェース・モジュールの機能とを含むが、これらに限定されない。揮発性メモリ２５６及び／又は不揮発性メモリ２５４は、使用者によって着脱可能であってもよい。
【００４４】
インタフェース・モジュール１０５は、特にＡＥＤが運ばれている間、ＡＥＤ１１０とのデータの通信をさせたり、ＡＥＤに物理的に結合され電気的に接続されている状態を維持したりするためのコネクタ１２０等のコネクタを含む、シリアル・データ・インタフェース、パラレル・データ・インタフェース、ＵＳＢ（Ｕｎｉｖｅｒｓａｌ  Ｓｅｒｉａｌ
Ｂｕｓ）インタフェース等、データ通信インタフェース２３８を備え得る。
【００４５】
一実施形態では、インタフェース・モジュール１０５は、送信機２３４及び受信機２３６と通信するための少なくとも１つのアンテナ２３２を備える。送信機２３４及び／又は受信機２３６は、プロセッサ２４８が無線ドック２２０等の装置とアンテナ２３２を通じて無線により通信できるように、インタフェース２３５に結合されている。送信機２３４及び受信機２３６は、低電力Ｂｌｕｅｔｏｏｔｈ（登録商標）トランシーバ及び／又はＩＥＥＥ８０２．１１の無線ＬＡＮトランシーバ等、低電力ラジオ・トランシーバとしてパッケージ化されていてもよい。さらに、インタフェース２３５に結合されている送信機２３４及び／又は受信機２３６は、ステータス情報及び／又は場所情報（ＧＰＳ場所情報等）等、情報を無線ドック２２０に通信するように構成され得る。メモリと低電力ラジオ・トランシーバとは、プロセッサに通信可能に結合され、ＡＥＤからステータス情報を受信するように構成され得る。
【００４６】
一部の実施形態では、インタフェース・モジュール１０５は、ユーザ・インタフェース２５０をさらに備えており、そのユーザ・インタフェース２５０は、プロセッサ２４８に結合されている少なくとも１つの入力装置及び／又は出力装置を含む場合があり、それは、ディスプレイ、タッチスクリーン、キーボード、キーパッド、マウス等であるが、これらに限定されない。一実施形態では、プロセッサ２４８に結合されているディスプレイは、ＡＥＤ１１０に関係するステータス情報及び／又は場所情報を表示できる場合があり、例えば、ＡＥＤの電極使用期限日、ＡＥＤのキャパシタ放電データ、バッテリ状態、ＧＰＳ場所情報等を表示できる場合がある。一部の実施形態では、ユーザ・インタフェース２
５０は、点滅光又はアラーム等（ただし、これらに限定されない）の視覚的又は聴覚的な表示ビーコンを含む場合があり、その表示ビーコンは、例えば、データセンタ、ネットワーク管理局、インタフェース・モジュール１０５、又はＡＥＤ１１０によって作動させられ得る。
【００４７】
一部の実施形態では、タッチスクリーン、キーパッド、キーボード、ボタン、及び／又は他の入力部は、使用者が問合せ情報、構成情報、及び／又はステータス情報等のデータを入力できるように、インタフェース・モジュール１０５に含まれ得る。
【００４８】
一部の実施形態では、インタフェース・モジュール１０５は、ＡＥＤ１１０及び／又はインタフェース・モジュール１０５の移動を検知するために加速度計を備える。インタフェース・モジュール１０５は、加速度計がＡＥＤ１１０の動きを検知するとき、スリープモードから起動するように構成され得る。一部の実施形態では、インタフェース・モジュール１０５は、動きが検知されるとき、起動し、又は電源が入るようにＡＥＤ１１０に信号を送るよう構成されてもよい。
【００４９】
一部の実施形態では、インタフェース・モジュール１０５は、少なくとも１つのエネルギ貯蔵装置２４６をさらに備え、そのエネルギ貯蔵装置２４６は、インタフェース・モジュール１０５に電力を提供するための充電可能なバッテリ及び／又はキャパシタ等、充電可能であってよい。例えば、キャパシタは、スーパキャパシタであってもよく、そのスーパキャパシタは、バッテリよりも充電時間が速い場合がある。一部の実施形態では、インタフェース・モジュール１０５は、無線ドック２２０の無線電力送信機２６８等の無線電力送信機から電力を受信するように構成されている、無線電力受信機２４２と無線電力制御部２４４とをさらに備える。充電可能なエネルギ貯蔵装置は、無線電力受信機に電気的に結合されることが可能であり、着脱可能なインタフェース・モジュールのために無線により電力を受信するように構成され得る。
【００５０】
一部の実施形態では、無線電力受信機２４２は、２００８年に設立されたワイヤレス・パワー・コンソーシアム（Ｗｉｒｅｌｅｓｓ  Ｐｏｗｅｒ  Ｃｏｎｓｏｒｔｉｕｍ（ＷＰＣ））によって開発されたＱｉ準拠の無線電力技術を含む。一部の実施形態では、無線電力受信機２４２は、テキサス・インスツルメンツ社（Ｔｅｘａｓ  Ｉｎｓｔｒｕｍｅｎｔｓ  Ｉｎｃｏｒｐｏｒａｔｅｄ）によって製造されるｂｑ５１０１ｘＢ  ＷＰＣ  １．１互換の完全統合型ワイヤレス・パワー・レシーバ（Ｃｏｍｐａｔｉｂｌｅ  Ｆｕｌｌｙ  Ｉｎｔｅｇｒａｔｅｄ  Ｗｉｒｅｌｅｓｓ  Ｐｏｗｅｒ  Ｒｅｃｅｉｖｅｒ）ＩＣであってよい。一部の実施形態では、インタフェース・モジュール１０５は、ＡＥＤ１１０等のＡＥＤから少なくとも幾分かの電力を受信してもよい。他の実施形態では、インタフェース・モジュール１０５は、ＡＥＤ１１０等のＡＥＤから電力を受信しない。一部の実施形態では、インタフェース・モジュールのプロセッサ及びメモリは、着脱可能なインタフェース・モジュールがＡＥＤからの電力を利用することなく、ＡＥＤからステータス情報を受信するように構成されている。
【００５１】
インタフェース・モジュール１０５は、ＡＥＤ１１０の場所を決定するための場所決定ユニット２５２をさらに備えていてもよい。一部の実施形態では、場所決定ユニット２５２は、ＡＥＤ１１０の地理的な場所を受信するための全地球測位システム（ＧＰＳ）の受信機を備えていてもよい。
【００５２】
無線ドック２２０等の無線ドックは、プロセッサ２８６（インテルのマイクロプロセッサ又はマイクロコントローラを含むが、これらに限定されない任意の種類のプロセッサであってよい）と、揮発性メモリ２７０又は不揮発性メモリ２７２等のメモリ（例えば、フラッシュメモリ）と、を備える。さらに、無線ドック２２０は、複数のプロセッサと、少
なくとも１つの他の処理構成要素と、を備えていてもよい。プロセッサ２８６は、無線ドックの１つ以上の特徴を実装するための回路を備えることができる。例えば、少なくとも１つのプロセッサ２４８は、デジタル信号プロセッサ装置、マイクロプロセッサ装置、デジタルからアナログへの変換器、他のサポート回路等を備え得る。
【００５３】
揮発性メモリ２７０は、データの一時記憶のためのキャッシュ領域を含んでいてもよい。不揮発性メモリ２７２は、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、フラッシュメモリ等を含み得る。一実施形態では、無線ドック２２０は、コンピュータ・プログラム・コードを含む情報を記憶するためにメモリを使用してよい。揮発性メモリ２７０及び／又は不揮発性メモリ２７２に結合されているプロセッサ２８６は、無線ドック２２０の１つ以上の特徴を実装するように構成されることが可能であり、その１つ以上の特徴は、インタフェース・モジュール１０５からＡＥＤの情報を無線により受信することと、ネットワーク・インタフェース２８２を介して外部のネットワーク要素にＡＥＤの情報を送信することと、無線電力送信機２６８を介してインタフェース・モジュール１０５に電力を提供することと、他の無線ドックの機能とを含むが、これらに限定されない。揮発性メモリ２７０及び／又は不揮発性メモリ２７２は、使用者によって着脱可能及び／又はアップグレード可能であってもよい。
【００５４】
無線ドック２２０は、ＩＥＥＥ８０２．１１の無線ＬＡＮインタフェース、セルラ・インタフェース、又はイーサネット・インタフェース等、無線又は有線のネットワーク・インタフェース２８２を備えることができ、そのネットワーク・インタフェース２８２は、無線ドック２２０が、例えば、イーサネット・ケーブル２２５によるインターネットを介して、データセンタのコンピュータ等の別のネットワーク要素にＡＥＤの情報等のソフトウェアを含む情報を通信することを行わせるために、イーサネット・コネクタ２８４等のコネクタを備え得る。例えば、無線ドックのプロセッサ及びメモリは、データセンタ及びネットワーク管理局のうちの一方にステータス情報を送信するように構成され得る。
【００５５】
無線ドック２２０は、送信機２６６及び受信機２６４と通信するための少なくとも１つのアンテナ２６２を備え得る。送信機２６６及び／又は受信機２６４は、プロセッサ２８６がアンテナ２６２を通じてインタフェース・モジュール１０５等の装置と無線により通信できるように、インタフェース２６５に結合されている。送信機２６６及び受信機２６４は、低電力Ｂｌｕｅｔｏｏｔｈトランシーバ及び／又はＩＥＥＥ８０２．１１の無線ＬＡＮトランシーバ等、低電力ラジオ・トランシーバとしてパッケージ化されていてもよい。メモリ及び低電力ラジオ・トランシーバは、プロセッサに通信可能に結合されることが可能であり、例えば、ＡＥＤの電源が切れているときにステータス情報を着脱可能なインタフェース・モジュールから受信し、無線ドックのネットワーク・インタフェースを通じてステータス情報を送信するように構成され得る。
【００５６】
プロセッサ２８６は、少なくとも１つの信号をインタフェース２６５に提供し、少なくとも１つの信号をインタフェース２６５から受信するように構成され得る。さらに、インタフェース２６５に結合されている送信機２６６及び／又は受信機２６４は、インタフェース・モジュール１０５に関し、ステータス情報及び／又は場所情報（ＧＰＳ場所情報等）等、情報を送信及び受信するように構成されてよい。
【００５７】
一部の実施形態では、無線ドック２２０は、ユーザ・インタフェース２７６をさらに備えており、そのユーザ・インタフェース２７６は、プロセッサ２８６に結合されている少なくとも１つの入力装置及び／又は出力装置を含む場合があり、それは、ディスプレイ、タッチスクリーン、キーボード、キーパッド、マウス等であるが、これらに限定されない。一実施形態では、プロセッサ２８６に結合されているディスプレイは、ＡＥＤに関係す
るステータス情報及び／又は場所情報を表示できる場合があり、これは、ＡＥＤの電極使用期限日、ＡＥＤのキャパシタ放電データ、バッテリ状態、場所情報等であるが、これらに限定されない。一部の実施形態では、タッチスクリーン、キーパッド、キーボード、ボタン、及び／又は他の入力部は、使用者が問合せ情報、構成情報、及び／又はステータス情報等のデータを入力できるように、無線ドック２６２に含まれ得る。
【００５８】
一部の実施形態では、無線ドック２２０は、装置管理モジュール２７４をさらに備え、その装置管理モジュール２７４によって、インターネット等のネットワークによる管理システムによって無線ドック２２０が管理されることが可能になり、例えば、ウェブベース管理又はＳＮＭＰ（Ｓｉｍｐｌｅ  Ｎｅｔｗｏｒｋ  ｍａｎａｇｅｍｅｎｔ  Ｐｒｏｔｏｃｏｌ）が用いられる。インターネットにアクセスを有するデータセンタは、例えば、ネットワーク・インタフェース２８２を介して無線ドック２２０からの情報を要求できる。ウェブベース管理が利用される場合、無線ドック２２０は、組み込みウェブサーバをさらに備えることができ、その組み込みウェブサーバは、無線ドック２２０及びＡＥＤ１１０に関係する情報に対するＨＴＴＰ（Ｈｙｐｅｒ  Ｔｅｘｔ  Ｔｒａｎｓｆｅｒ  Ｐｒｏｔｏｃｏｌ）のブラウザの要求に応答できる。データセンタは、ＡＥＤ１１０に関係するステータス情報を判断するために無線ドック２２０に問い合わせることができる。無線ドック２２０の装置管理モジュール２７４は、ＡＥＤ１１０に関係するインタフェース・モジュール１０５から受信されるＡＥＤ１１０のステータス情報を提供することによって応答でき、そのステータス情報は、例えば、ＡＥＤ１１０によって実行される１つ以上のセルフテストの結果に関係するデータ等であるが、これに限定されない。
【００５９】
一部の実施形態では、無線ドック２２０は、無線ドック２２０に電力を供給するための電線２３０からの交流電力を受信及び変換するために、変圧器を含む１２０交流電力インタフェース等の電力源インタフェース２８０を備えることができる。一部の実施形態では、無線ドック２２０は、例えば、電線２３０からの交流電力が何らかの理由により停止した場合に備えて、バックアップとしての充電可能な電池等（ただし、これに限定されない）、少なくとも１つのエネルギ貯蔵装置２７８を備えていてもよい。一部の実施形態では、無線ドックは、例えば、ＩＥＥＥのＰｏＥ（Ｐｏｗｅｒ  ｏｖｅｒ  Ｅｔｈｅｒｎｅｔ）又はＰｏＥプラス・スタンダード（Ｐｏｗｅｒ  ｏｖｅｒ  Ｅｔｈｅｒｎｅｔ  Ｐｌｕｓ  Ｓｔａｎｄａｒｄ）を用いて、イーサネット・ケーブル２２５等のイーサネット・ケーブルから電力を受信してもよい。
【００６０】
一部の実施形態では、無線ドック２２０は、インタフェース・モジュール１０５の無線電力受信機２４２等の無線電力受信機に電力を送信するように構成されている、無線電力送信機２６８と無線電力制御部２６９とを備える。一部の実施形態では、無線電力送信機２６８は、ワイヤレス・パワー・コンソーシアム（ＷＰＣ）によって開発されたＱｉ準拠の無線電力技術を含む。一部の実施形態では、無線電力送信機２６８は、テキサス・インスツルメンツ社によって製造されるｂｑ５００４１０Ａ  Ｑｉ準拠のフリーポジショニング・ワイヤレス・パワー・トランスミッタ（Ｆｒｅｅ−Ｐｏｓｉｔｉｏｎｉｎｇ  Ｗｉｒｅｌｅｓｓ  Ｐｏｗｅｒ  Ｔｒａｎｓｍｉｔｔｅｒ）であってもよい。
【００６１】
一部の実施形態では、無線電力送信機は、電力源２３０等の電力源に結合され、着脱可能なインタフェース・モジュールが所定範囲内にあるとき、着脱可能なインタフェース・モジュールに無線により電力を送信するように構成されている。一部の実施形態では、無線電力受信機は、ＡＥＤの電源が切れているとき、無線電力送信機から無線により電力を受信し、着脱可能なインタフェース・モジュールの充電可能なエネルギ貯蔵装置に電力を貯蔵するように構成されている。
【００６２】
ＡＥＤ１１０等のＡＥＤは、不使用時に、ＡＥＤキャビネット２１２等のＡＥＤキャビ
ネットに保管される場合もあれば、壁上に吊るされる場合もある。ＡＥＤは、不使用時に定期的に自動的に電源が入り、１つ以上のセルフテストを実行できる。例えば、ＡＥＤ１１０は、キャパシタ、バッテリ、及び／又はメモリ等の１つ以上の内部構成要素のテストと、電極等の１つ以上の外部構成要素のテストと、除細動エネルギ送達レベル等のシステム機能のテストと、のうちの少なくとも１つを含み得る１つ以上の診断セルフテストを実行できる。一部の実施形態では、１つ以上のセルフテストを実行する前に、ＡＥＤ１１０は、インタフェース・モジュール１０５に起動信号を送り、スリープモードから、インタフェース・モジュール１０５の電源を入れる（又は、起動させる）場合がある。他の実施形態では、インタフェース・モジュール１０５は、ＡＥＤ１１０が作動しているとインタフェース・モジュール１０５が検知するとき、及び／又はインタフェース・モジュール１０５が移動を検知するとき（例えば、インタフェース・モジュール１０５内に組み込まれている内部の加速度計から移動を示すものを受信することによって）、電源が入る（又は、起動する）ように構成され得る。
【００６３】
１つ以上の診断セルフテストの実行後、ＡＥＤ１１０は、１つ以上のセルフテストに関係するステータス情報等の情報をインタフェース・モジュール１０５に通信でき、そのインタフェース・モジュール１０５は、ＡＥＤ１１０に着脱可能に結合されている場合もあれば、永久的に一体化されている場合もある。インタフェース・モジュール１０５は、不揮発性メモリ２５４等の内部のメモリに情報を記録してもよい。インタフェース・モジュール１０５がＡＥＤ１１０から受信された情報を記録した後、インタフェース・モジュール１０５は、ステータス情報が記憶されたとＡＥＤ１１０に信号を送ってもよい。次いで、ＡＥＤ１１０及び／又はインタフェース・モジュール１０５は、バッテリの電力消費を抑えるべく電源が切れてもよい。
【００６４】
ＡＥＤ１１０は、電源を入れることと、１つ以上の診断セルフテストを実施することと、ステータス情報をインタフェース・モジュール１０５に送ることと、からなるサイクルを、例えば、週毎又は月毎に繰り返し得る。不揮発性メモリ２５４は、ステータス情報が受信された日／時、及び／又はステータス情報に関係する少なくとも１つのセルフテストが実行された日／時を含む、ＡＥＤ１１０に関係するステータス情報のテーブルを時間の経過により含み得る。さらに、ＡＥＤ１１０が場所決定機能を含む場合、ＡＥＤは、ＡＥＤ１１０の以前の場所に関係する地図データ等の場所情報をインタフェース・モジュール１０５に送ってもよい。一部の実施形態では、インタフェース・モジュール１０５は、ＡＥＤ１１０の１つ以上の場所を決定するための場所決定ユニット２５２等の機能を含んでいてもよい。
【００６５】
一部の実施形態では、無線ドック２２０は、Ｑｉ準拠の無線電力技術を用いることによって、ＡＥＤ１１０に結合されているインタフェース・モジュール１０５が、インタフェース・モジュール１０５に通信したり、電力を供給したりするのに所定範囲内にあるか否かを自動的に検知できる。無線ドック２２０がインタフェース・モジュール１０５の所定範囲内にない場合、例えば、インタフェース・モジュール１０５を含むＡＥＤ１１０は、ＡＥＤキャビネット２１２の内部に存在しないか、又は取り付けフック２０５上に配置されておらず、無線ドック２２０は、インタフェース・モジュール１０５に通信すること又は電力を供給することの試行が行われた日時を記録してもよい。無線ドック２２０がインタフェース・モジュール１０５の所定範囲内にある場合、無線ドックのプロセッサ及びメモリは、電源を入れるコマンド（又は、起動コマンド）をインタフェース・モジュール１０５に無線により送信することによって、着脱可能なインタフェース・モジュール１０５の電源を入れるように構成され得る。さらに、無線ドック２２０は、例えば、Ｑｉ準拠の無線電力技術を用いて、インタフェース・モジュール１０５に無線により電力を提供し、インタフェース・モジュール１０５のエネルギ貯蔵装置２４６を充電できる。
【００６６】
一部の実施形態では、インタフェース・モジュール１０５を含むＡＥＤ１１０が無線ドック２２０の所定範囲内にあり、インタフェース・モジュール１０５が十分な電力を有していると無線ドック１０５が検知する場合、無線ドック２２０は、インタフェース・モジュール１０５からＡＥＤ１１０に関係するステータス情報を定期的に要求及び受信してもよい。無線ドック２２０によるステータス情報に対する１つ以上の要求は、低電力ラジオ・トランシーバを使用して、例えば、集積回路にトランシーバとしてパッケージ化されている送信機２６６を使用して、インタフェース・モジュール１０５によって無線ドック２２０に無線により送信され、また、トランシーバとしてパッケージ化されているインタフェース・モジュール１０５の受信機２３６によって受信され得る。インタフェース・モジュール１０５は、要求を受信し、ステータス情報を無線ドック２２０に無線により送信することによって応答できる。無線ドック２２０からインタフェース・モジュール１０５に対するステータス情報の要求は、定期的に、例えば、日毎、週毎、又は月毎に行われ得る。
【００６７】
無線ドック２２０は、要求時又は定期的に、インタフェース１０５から受信されたステータス情報をデータセンタ又は管理局に例えばインターネットを介して送信できる。一部の実施形態では、無線ドック２２０は、データセンタ又は管理局と常時接続していてもよい。一部の実施形態では、データセンタ又は管理局は、ＡＥＤ１１０に関係するステータス情報を送るように、無線ドック２２０を含む１つ以上の無線ドックに要求を送る場合がある。無線ドック２２０がＡＥＤのステータス情報に対する要求を受信するとき、無線ドック２２０は、データ／時の情報を含むＡＥＤのステータス情報、及び／又はＡＥＤの場所情報を送ることによって応答できる。
【００６８】
図４は、本発明の例示的な実施形態による方法４００を示すフロー図である。４０５では、電力が無線ドック２２０等の無線ドックから無線により受信され、ＡＥＤに通信可能に結合されている着脱可能なインタフェース・モジュールのエネルギ貯蔵装置２４６等の充電可能なエネルギ貯蔵装置に貯蔵される。図３のインタフェース・モジュール１０５は、インタフェース・モジュール１０５に電力を提供するために、充電可能なバッテリ及び／又はスーパキャパシタ等の少なくとも１つのエネルギ貯蔵装置２４６を備えることができる。インタフェース・モジュール１０５は、無線ドック２２０の無線電力送信機２６８等の無線電力送信機から電力を受信するように構成されている、無線電力受信機２４２と無線電力制御部２４４とをさらに備えていてもよい。ＡＥＤの電源が入っているとき、ＡＥＤの電源が切れているとき、及びＡＥＤがスリープモードのときのいずれかにおいて、電力が無線ドック２２０から無線により受信され、エネルギ貯蔵装置２４６に貯蔵され得る。無線ドック２２０等の無線ドックは、交流電力源及びバッテリのうちの少なくとも一方から電力を受信してよい。
【００６９】
４１０では、ステータス情報が、着脱可能なインタフェース・モジュールのメモリにＡＥＤから受信される。例えば、１つ以上の診断セルフテスト後、ＡＥＤ１１０は、１つ以上のセルフテストに関係するステータス情報等の情報をインタフェース・モジュール１０５に通信できる。インタフェース・モジュール１０５は、ＡＥＤ１１０からステータス情報を受信し、不揮発性メモリ２５４等の内部のメモリに情報を記録できる。インタフェース・モジュール１０５がＡＥＤ１１０から受信された情報を記録した後、インタフェース・モジュール１０５は、ステータス情報が記憶されたとＡＥＤ１１０に信号を送ってもよい。次いで、ＡＥＤ１１０及び／又はインタフェース・モジュール１０５は、バッテリの電力消費を抑えるべく電源が切れてもよい。
【００７０】
４１５では、ステータス情報は、ＡＥＤの電源が切れているとき、着脱可能なインタフェース・モジュール１０５のトランシーバ２３４／２３６等の第１低電力ラジオ・トランシーバから、ＡＥＤの無線ドック２２０の第２低電力ラジオ・トランシーバ２６４／２６
６に送信される。無線ドック２２０は、インタフェース・モジュール１０５からＡＥＤ１１０に関係するステータス情報（時間の経過とともに収集され得る）を受信できる。
【００７１】
４２０では、ステータス情報は、無線ドック２２０のネットワーク・インタフェース２８２等のネットワーク・インタフェースを通じて送信される。例えば、無線ドック２２０は、要求時又は定期的に、インタフェース・モジュール１０５から受信されたステータス情報をデータセンタ又は管理局にインターネットを介して送信できる。一部の実施形態では、無線ドック２２０は、データセンタ又は管理局と常時接続していてもよい。
【００７２】
所望の場合には、本明細書に記載した様々な機能は、異なる順序により、及び／又は互いに同時に実行されてもよい。さらに、所望の場合、上記の機能のうちの１つ以上は、任意選択の場合もあれば、組み合わされる場合もある。
【００７３】
本発明の様々な態様が独立請求項に記載されているが、本発明の他の態様は、記載した実施形態からの特徴の他の組み合わせ、及び／又は独立請求項の特徴を有する従属請求項を含み、また、特許請求の範囲に明示的に記載された組み合わせに限られない。
【００７４】
本発明の例示的な実施形態を以上に記載したが、この記載は限定的な意味において考察されるべきではないことも本明細書において注意される。むしろ、添付の特許請求の範囲において定義される本発明の範囲から逸脱することなくなされ得るいくつかの変形及び改変が存在する。
【図１ａ】
2016518894.tif 000003
【図１ｂ】
2016518894.tif 000004
【図２ａ】
2016518894.tif 000005
【図２ｂ】
2016518894.tif 000006
【図３】
2016518894.tif 000007
【図４】
2016518894.tif 000008
【国際調査報告】
2016518894.tif 000009